(57)【要約】【課題】室内の空気を清浄な状態に維持することを支援する。【解決手段】換気支援装置１０は、建物３０の屋外３２の空気質を区分した環境情報を求める処理部１３と、建物３０の屋内３１の空気質を管理するための推奨情報を環境情報に応じて出力する出力部１５とを備える。さらに、換気支援装置１０は、現在位置における屋外の空気質に関する情報を通信により取得する通信部１１を備える。処理部１３は、屋外３２の空気質に関する情報に基づいて環境情報を求め、出力部１５は、推奨情報を提示装置１６に出力する。【選択図】図１
2016070600.tif 000002
【特許請求の範囲】
【請求項１】
建物の屋外の空気質を区分した環境情報を求める処理部と、
前記建物の屋内の空気質を管理するための推奨情報を前記環境情報に応じて出力する出力部とを備える
ことを特徴とする換気支援装置。
【請求項２】
現在位置における屋外の空気質に関する情報を通信により取得する通信部をさらに備え、
前記処理部は、前記屋外の空気質に関する情報に基づいて前記環境情報を求め、
前記出力部は、前記推奨情報を提示装置に出力する
請求項１記載の換気支援装置。
【請求項３】
前記現在位置の位置情報を求める位置検出部をさらに備え、
前記通信部は、前記位置情報を用いて前記屋外の空気質に関する情報を取得する
請求項２記載の換気支援装置。
【請求項４】
前記提示装置は表示器を備え、
前記処理部は、前記環境情報に応じて、前記建物の前記屋内の空気質を変化させる設備に関して推奨される操作を表す推奨情報を生成するように構成され、
前記出力部は、前記推奨情報を前記表示器の画面に表示するように構成され、
前記設備は、機械換気用の換気装置と自然換気用の通気装置との少なくとも一方を含む
請求項２又は３記載の換気支援装置。
【請求項５】
前記処理部は、前記空気質が所定の判定基準を満たした時点で、前記設備に関する推奨情報を生成し、
前記出力部は、前記処理部が生成した前記推奨情報を前記表示器の画面に表示する
請求項４記載の換気支援装置。
【請求項６】
前記処理部は、時間経過に伴う前記空気質の変化傾向に基づいて前記空気質が前記判定基準を満たすか否かを予測し、
前記出力部は、前記空気質が前記判定基準を満たすと前記処理部が予測した場合に、前記空気質が前記判定基準を満たす前に、前記表示器の画面に前記推奨情報を表示する
請求項４記載の換気支援装置。
【請求項７】
前記設備に対して動作に関する指示を与える指示部をさらに備え、
前記提示装置は、前記表示器の画面に重ねられたタッチパネルを備え、
前記処理部は、前記出力部が前記表示器の画面に前記推奨情報を表示する期間に、前記タッチパネルにおいて操作入力を受け付けると、前記操作入力に応じて、前記指示部を通して前記設備に指示を与える
請求項４〜６のいずれか１項に記載の換気支援装置。
【請求項８】
前記設備に対して動作を指示する指示部をさらに備え、
前記処理部は、前記空気質が所定の判定基準を満たした時点で、前記設備に関する推奨情報を生成し、当該推奨情報の内容に従って前記設備に前記指示部を通して指示を与える
請求項４記載の換気支援装置。
【請求項９】
前記通信部は、電波を伝送媒体とする無線通信を行うように構成されている
請求項２〜８のいずれか１項に記載の換気支援装置。
【請求項１０】
前記提示装置は、前記通信部と同じ筐体に設けられている
請求項２〜９のいずれか１項に記載の換気支援装置。
【請求項１１】
コンピュータを、請求項１〜１０のいずれか１項に記載の換気支援装置として機能させるためのプログラム。
【発明の詳細な説明】
【技術分野】
【０００１】
本発明は、建物における屋内と屋外との換気を支援する換気支援装置、コンピュータを換気支援装置として機能させるためのプログラムに関する。
【背景技術】
【０００２】
従来、屋内の温度や湿度といった環境を制御するために、屋内と屋外との気象環境を随時比較し、屋内と屋外との境界領域における開口部の開口割合を制御するようにした屋内環境制御システムが提案されている（たとえば、特許文献１参照）。特許文献１に記載された技術は、屋内と屋外との気象環境をそれぞれ取得し、両者を比較することによって、開口部の開口割合を定めている。
【０００３】
すなわち、特許文献１に記載された技術は、開口部の開口割合を定めるために、屋内の気象環境と屋外の気象環境とを比較する必要があるから、屋内に環境計が設けられ、屋外に雨滴検知器が設けられている。環境計は、温度計、湿度計、照度計、騒音計、気圧計などを備えている。さらに、特許文献１に記載された装置は、開口部の開口割合を決めるために、インターネット通信部を介して地域気象サーバから家屋の周辺の気象データを用いている。
【先行技術文献】
【特許文献】
【０００４】
【特許文献１】特開２０１０−２１３１号公報
【発明の概要】
【発明が解決しようとする課題】
【０００５】
ところで、特許文献１は、室内の不快指数を調節して空調を無駄に利用しないことにより、省エネルギを実現している。しかしながら、室内の空気を清浄な状態に維持することについては考慮されていない。
【０００６】
本発明は、室内の空気を清浄な状態に維持することを支援する換気支援装置を提供することを目的とする。また、本発明は、コンピュータを換気支援装置として機能させるためのプログラムを提供することを目的とする。
【課題を解決するための手段】
【０００７】
本発明の換気支援装置は、建物の屋外の空気質を区分した環境情報を求める処理部と、前記建物の屋内の空気質を管理するための推奨情報を前記環境情報に応じて出力する出力部とを備えることを特徴とする。
【０００８】
本発明のプログラムは、コンピュータを換気支援装置として機能させるためのものである。
【発明の効果】
【０００９】
本発明の構成によれば、建物の屋外の空気質に関する環境情報に応じて、室内の空気質を管理するための推奨情報を出力するから、室内の空気を清浄な状態に維持するための支援が可能になるという利点を有する。
【図面の簡単な説明】
【００１０】
【図１】実施形態を示すブロック図である。
【図２】実施形態における空気室の推移例を示す図である。
【図３】実施形態における推奨情報の表示例を示す図である。
【図４】実施形態の変形例を示すブロック図である。
【図５】実施形態における推奨情報の表示例を示す図である。
【図６】実施形態の他の変形例を示すブロック図である。
【図７】実施形態のさらに他の変形例を示すブロック図である。
【発明を実施するための形態】
【００１１】
以下に説明する実施形態は、換気支援装置をスマートフォンで実現する構成例を想定している。ただし、換気支援装置はタブレット端末で実現してもよく、また換気支援装置を携行する必要がなければ、換気支援装置はパーソナルコンピュータで実現してもよい。スマートフォン、タブレット端末、パーソナルコンピュータなどから選択される装置は、表示器を備えた提示装置として用いてもよい。この場合、後述する換気支援装置の多くの機能は、ＨＥＭＳ（Home Energy Management System）のコントローラ、住宅用のインターホンと統合された住宅情報盤、あるいはインターネットのような電気通信回線を通して通信するサーバで実現してもよい。
【００１２】
また、以下に説明する建物は、基本的には住宅を想定している。住宅は、戸建て住宅のほか、集合住宅であってもよい。集合住宅の場合、建物は、複数の住戸が集合した建物の全体ではなく、建物の一部である個々の住戸を意味する。さらに、建物は、オフィスビルあるいは商業ビルにおけるテナントであってもよい。あるいは、建物は、部屋と読み替えてもよい。
【００１３】
住宅に配置されるＨＥＭＳのコントローラは、住宅で用いられる少なくとも一部の設備と通信し、当該設備に対して動作を指示する機能を有していることが望ましい。この種の機能を有したコントローラは、後述するように、設備に動作を指示する指示部として用いることが可能である。
【００１４】
サーバは、１台のコンピュータを用いた構成よりも複数台のコンピュータを用いた構成のほうが望ましい。また、複数台のコンピュータを用いて構成されるサーバは、１箇所に集中的に配置された構成に限らず、クラウドコンピューティングシステムとして構成されていてもよい。
【００１５】
図１に示す構成例は、建物３０が住宅であって、屋内の空気質を変化させる設備２０として、機械換気用の換気装置２１と、自然換気用の通気装置２２とを設備２０として備えた構成を例として説明する。ただし、建物３０は、設備２０として換気装置２１と通気装置２２との一方だけを備えていてもよい。
【００１６】
換気装置２１は、屋内３１から屋外３２に空気を排気する換気装置と、屋外３２から屋内３１に空気を吸気する換気装置とのいずれでもよく、両者を組み合わせて用いることも可能である。すなわち、換気装置は、第１種換気、第２種換気、第３種換気のいずれを行う構成であってもよい。ただし、本実施形態では、換気装置２１は、屋内３１から屋外３２に排気する構成を想定している。したがって、換気装置２１は、居室に配置された換気扇のほか、キッチンに配置されたレンジフードであってもよい。
【００１７】
換気装置２１は、建物３０を使用するユーザ（住人）が運転と停止との指示を手作業で行う構成のほか、ＨＥＭＳのコントローラのような外部装置からの指示で運転と停止とを行う構成であってもよい。
【００１８】
通気装置２２は、基本的には窓を想定しているが、屋内３１と屋外３２との間で空気を流通させる構成であれば、窓以外の構成であってもよい。たとえば、通気装置２２は、窓のような開口部に配置されるか、壁を貫通するように配置される構成であってもよい。通気装置２２は、屋内３１と屋外３２との間で空気の流通を許可する開状態と空気の流通を遮断する閉状態とが選択可能になっている。
【００１９】
通気装置２２が窓であれば、開状態と閉状態とは、窓の開状態と閉状態とに対応する。また、窓以外の通気装置２２では、開状態と閉状態とは、ダンパあるいはバルブのような開閉装置により実現される。通気装置２２は、建物３０を使用するユーザ（住人）が手作業で開状態と閉状態とを選択する通常の構成のほか、ＨＥＭＳのコントローラのような外部装置からの指示に従って開状態と閉状態とが電動で行われる構成であってもよい。
【００２０】
本実施形態では、換気扇あるいはレンジフードのような換気装置２１に付属するスイッチをユーザが操作するか、窓のような通気装置２２をユーザが手作業で直接操作する例を用いて説明する。言い換えると、設備２０が自動的に制御される構成ではなく、ユーザが設備２０に対する操作を行う構成を例として説明する。すなわち、換気支援装置１０は、ユーザに対して設備２０の動作を通知する機能を有しているが、設備２０の動作を変更する機能はない。
【００２１】
本実施形態の換気支援装置１０は、建物３０の屋外３２の空気質が判定基準を満たしていない場合に、換気装置２１の運転を停止させ、通気装置２２を閉状態にすることを推奨情報として、ユーザに通知するように構成されている。そのため、換気支援装置１０は、建物３０の屋外３２の空気質の情報を取得する。ここにおいて、空気質は、粒子状物質、塵埃、黄砂、花粉、硫黄酸化物、窒素酸化物などの濃度のことを意味している。なお、粒子状物質は、ＰＭ２．５（ＰＭ：Particulate Matter）、ＰＭ１０などを意味する。
【００２２】
以下の例では、大気質指数あるいは空気質指数として知られるＡＱＩ情報（ＡＱＩ：Air Quality Index）を空気質の情報として用いる。すなわち、判定基準は、ＡＱＩに関して設定される。たとえば、ＡＱＩが所定の判定基準である閾値を超えると、換気装置２１の運転を停止させ、通気装置２２を閉状態にすることが推奨情報としてユーザに通知される。ＡＱＩ情報と推奨情報との関係については後述する。
【００２３】
本実施形態においては、換気支援装置１０はスマートフォンを想定しているから、屋外３２の空気質の情報は、電気通信回線を通して通信部１１が取得する。なお、通信部１１は電波を伝送媒体とする無線通信を行う。また、電気通信回線は、インターネットあるいは移動体電話網が用いられる。
【００２４】
換気支援装置１０が電気通信回線を通して空気質の情報を取得するには、換気支援装置１０は建物３０の場所を特定する必要がある。建物３０の場所は、換気支援装置１０のユーザがあらかじめ換気支援装置１０に登録しておけばよい。この場合、空気質の情報は、換気支援装置１０に登録された場所を含む地域に関して求められる。
【００２５】
また、本実施形態では、換気支援装置１０としてスマートフォンを想定しているから、換気支援装置１０に設けられたＧＰＳ（Global Positioning System）のような位置検出部１２によって換気支援装置１０の現在位置の位置情報を求めることが望ましい。この構成では、換気支援装置１０は、位置検出部１２により求められた現在位置が、登録されている建物３０の位置付近である場合に、該当する場所に関する空気質の情報を取得する。この構成では、ユーザが換気支援装置１０を携行しているときに、建物３０に近付かなければ、屋外３２の空気質の情報は取得されず、不必要な通信トラフィックが発生しない。なお、上述したように現在位置の位置情報が換気支援装置１０に登録され、かつ換気支援装置１０が該当する建物３０で使用される場合、位置検出部１２は必須ではない。
【００２６】
建物３０の屋外３２における空気質の情報を取得するために、屋外３２に空気質を計測するセンサを設置することも可能である。この場合、換気支援装置１０は、センサが取得した空気質の情報を直接的あるいは間接的に取得すればよい。換気支援装置１０がセンサから空気質の情報を直接的に取得する場合、換気支援装置１０の通信部１１を通してセンサと無線通信が行われる。また、換気支援装置１０がセンサから空気質の情報を間接的に取得する場合、たとえば、センサがＨＥＭＳのコントローラとの間で通信を行い、このコントローラを通して換気支援装置１０が屋外３２の空気質の情報を取得する。
【００２７】
換気支援装置１０は、建物３０の屋外３２における空気質の情報を用いて、空気質を区分した環境情報を求める処理部１３を備える。本実施形態では、空気質の情報としてＡＱＩ情報を用いているから、環境情報は、ＡＱＩの値を段階に分けた情報を用いている。たとえば、環境情報は、ＡＱＩが１から１００までが「良好」、ＡＱＩが１０１から１５０までが「注意」、ＡＱＩが１５１以上が「不良」などと設定される。ここでは、環境情報を３段階に区分しているが、段階数はとくに制限はなく、たとえば５段階などに区分してもよい。
【００２８】
いま、設備２０が通気装置２２である窓であるとすれば、「良好」は窓を開けてもよい水準、「注意」は窓を開けることが可能であるが、空気質の影響を受けやすい場合には窓を閉めておくことが推奨される水準を表す。また、「不良」は窓を閉めておく程度に空気質が悪化している水準を表す。この場合の環境情報の設定例を表１に示す。表１のような情報は、換気支援装置１０に設けられた記憶部１４が記憶する。
【００２９】
【表１】
2016070600.tif 000003
【００３０】
たとえば、１日において１時間ごとに空気質の情報（ＡＱＩ情報）が得られる場合であって、空気質の情報が図２に示すように推移したとする。図２において、１本のバーは１時間におけるＡＱＩを表している。たとえば、０：００のＡＱＩは、０時台、つまり０：００から０：５９までのＡＱＩを表している。
【００３１】
図示例において、７：００にはＡＱＩが８５であるから、処理部１３は、記憶部１４を参照して「良好」という区分の環境情報を求め、窓を開けられることを示す推奨情報を生成する。また、１３：００になるとＡＱＩは１３３であるから、処理部１３は、「注意」という環境情報を求め、窓を開けられるが、空気質の影響を受けやすい場合（敏感である場合）は窓を閉めることが推奨される旨の推奨情報を生成する。さらに、１５：００になるとＡＱＩが１９４になっているから、処理部１３は、記憶部１４を参照して「不良」という環境情報を求め、窓を閉じることを示す推奨情報を生成する。
【００３２】
上述した例のように、処理部１３は、空気質の情報を取得すると、環境情報の区分を求め、環境情報の区分に応じた推奨情報を生成する。処理部１３が生成した推奨情報は、換気支援装置１０が備える出力部１５を通して提示装置１６に出力する。本実施形態では、換気支援装置１０がスマートフォンであるから、換気支援装置１０の筐体１０１に提示装置１６を備える。提示装置１６は液晶表示器のようなフラットパネルディスプレイからなる表示器１６１を備え、表示器１６１の画面にタッチパネル１６２が重ねられている。
【００３３】
出力部１５は、表示器１６１の画面に、たとえば図３の表示例のような形式で推奨情報を表示する。図３に示す例では、１５：００においてＡＱＩが１９４になったことが表示器１６１の画面に示され、さらに、「窓を閉めてください」というメッセージを含む推奨情報が表示器１６１の画面に示されている。このような表示例は一例であって、出力部１５は、表示器１６１の画面に推奨情報のみを表示するように構成されていてもよい。
【００３４】
すなわち、処理部１３が建物３０の屋内の空気質を管理するための推奨情報を環境情報に応じて生成し、出力部１５は処理部１３が生成した推奨情報を表示器１６１に出力する。表示器１６１に推奨情報を表示する形式は出力部１５において定められる。なお、提示装置１６は、推奨情報をユーザに対して表示器１６１を通して視覚的に提示する構成に限らず、推奨情報をユーザに対して音声により聴覚的に提示する構成であってもよい。
【００３５】
なお、推奨情報は、睡眠中および外出中などの時間帯には不要であることが多いから、換気支援装置１０は、推奨情報を提示する時間帯あるいは提示しない時間帯を登録可能にする時間帯登録部１８を備えていることが望ましい。時間帯登録部１８に推奨情報を提示する時間帯あるいは推奨情報を提示しない時間帯が登録されていると、該当する時間帯において推奨情報の提示または非提示が選択される。
【００３６】
上述した動作例において、設備２０のうち通気装置２２としての窓に関して推奨される操作を表す推奨情報を処理部１３が生成する場合を示しているが、推奨情報は設備２０に対して推奨される操作であればよい。たとえば、推奨情報は、換気装置２１について推奨される操作であってもよい。
【００３７】
ところで、処理部１３は空気質が所定の判定基準を満たした時点で推奨情報を生成しており、処理部１３が推奨情報を生成すると、出力部１５が当該推奨情報を表示器１６１の画面に表示するように、推奨情報の生成および提示のタイミングが設定されている。この動作では、たとえば、環境情報が「不良」になった時点で、ユーザに窓を閉めるように推奨情報が提示され、その後、ユーザは窓を閉める操作を行うことになる。すなわち、空気質の悪化時点から、やや遅れてユーザが設備２０の操作を行うことになる。
【００３８】
このような動作に対して、処理部１３は時間経過に伴う空気質の変化傾向に基づいて空気質が判定基準を満たすようになるタイミングを予測してもよい。この場合、出力部１５は、空気質が判定基準を満たすと予測されたタイミングよりも前に、表示器１６１の画面に推奨情報を表示することが可能になる。出力部１５は、処理部１３が予測したタイミングに対して一定時間（たとえば、１分、５分、１０分など）だけ前に、表示器１６１の画面に推奨情報を表示することが望ましい。
【００３９】
このような動作を行えば、ユーザは、空気質が判定基準を満たす前に、設備２０を操作することで、屋内３１の空気質を適正な状態に維持しやすくなる。なお、空気質が判定基準を満足する前に表示器１６１に推奨情報を表示する動作は、空気質が悪化する場合のみとしてもよい。すなわち、空気質が悪化する場合には、設備２０を事前に操作することにより、屋内３１の空気質の悪化を防止することが望ましい。
【００４０】
上述した構成例では、換気支援装置１０は、通信部１１と位置検出部１２と処理部１３と記憶部１４と出力部１５とを備え、さらに、換気支援装置１０の筐体１０１に提示装置１６が設けられている。言い換えると、換気支援装置１０は、スマートフォンにアプリケーションプログラムを実行させることによって実現されている。換気支援装置１０として機能させることが可能な装置は、スマートフォンに限らず、タブレット端末、パーソナルコンピュータなどであってもよい。要するに、換気支援装置１０は、プログラムに従って動作するプロセッサを備えるデバイス、提示装置１６とのインターフェイス部を構成するデバイスなどを主なハードウェア要素とするコンピュータでプログラムを実行することにより実現される。
【００４１】
プログラムは、ＲＯＭ（Read Only Memory）に書き込まれた状態で提供されるか、インターネットのような電気通信回線を通して提供される。また、コンピュータが読取可能な記録媒体に書き込まれた状態でプログラムが提供されてもよい。換気支援装置１０が、スマートフォン、タブレット端末、パーソナルコンピュータなどから選択される場合、プログラムはアプリケーションプログラム（いわゆる、アプリ）として提供されることが望ましい。
【００４２】
ところで、上述した構成例は、推奨情報が表示器１６１の画面に表示されるだけであって、設備２０を実際に操作する作業は、表示器１６１に表示された推奨情報に従ってユーザが行うことを想定している。一方、設備２０は、電波あるいは光を伝送媒体とする無線信号を受信し、無線信号で指示された内容で動作可能になるように構成されている場合がある。このような設備２０に対して換気支援装置１０が指示を与えることができれば、ユーザは個々の設備２０を手作業で操作することなく、換気支援装置１０の操作によって設備２０を動作させることが可能になる。
【００４３】
図４は、換気支援装置１０が指示部１７を備え、指示部１７から設備２０に対して動作に関する指示を与えることが可能になった例を示している。この構成では、図５のように、表示器１６１の画面に設備２０の操作に関する図形が表示される。たとえば、設備２０に通気装置２２としての窓と換気装置２１とが含まれているとすれば、図示例のように、換気装置２１の運転と停止とを操作するための釦Ｂ１、Ｂ２の図形と、窓Ｗ１の図形とが、表示器１６１の画面に表示される。
【００４４】
図示例では、窓Ｗ１の図形に対してタッチパネル１６２から操作入力を与えると、設備２０としての窓に指示部１７から指示が与えられ、操作入力に応じて窓が開状態または閉状態になるように動作させることが可能である。また、換気装置２１に対応する釦Ｂ１、Ｂ２は、押釦スイッチを模擬した図形で示されるから、釦Ｂ１、Ｂ２に対応する部位でタッチパネル１６２から操作入力を与えると、指示部１７から換気装置２１に運転または停止の指示が与えられる。
【００４５】
処理部１３は、出力部１５が表示器１６１の画面に、窓Ｗ１あるいは釦Ｂ１、Ｂ２などの図形と、推奨情報とを表示している期間に、タッチパネル１６２において図形に対応する部位に操作入力が与えられると、指示部１７を通して設備２０に指示を与える。したがって、換気支援装置１０を設備２０に対するリモコン装置（コマンダ）のように用いて、推奨情報に応じた操作を換気支援装置１０から行うことが可能になる。
【００４６】
ここに、換気支援装置１０から設備２０に指示を与えようとすると、換気支援装置１０を個々の設備２０に結び付ける登録作業が必要になり、利便性を損なうおそれがある。建物３０にＨＥＭＳのコントローラが配置され、コントローラが設備２０との通信を行って設備２０を管理している場合には、換気支援装置１０はコントローラと通信を行うことによって、コントローラを介して設備２０に指示を与えるようにしてもよい。この構成を採用すると、設備２０はコントローラにすでに登録されているから、換気支援装置１０は、コントローラのみを対象として登録作業を行えばよいから、登録作業が容易になる。
【００４７】
上述した構成例は、推奨情報を表示器１６１の画面に表示し、推奨情報の内容に応じてユーザが換気支援装置１０から設備２０に指示を与えているが、設備２０への指示を推奨情報に応じて自動化してもよい。すなわち、処理部１３が推奨情報を生成したときに、推奨情報の内容に従って指示部１７を通して設備２０に指示を与えるようにしてもよい。
【００４８】
以上説明した構成例は、換気支援装置１０が、屋外３２の空気質の情報を取得し、取得した空気質に応じて、屋内３１の空気質を管理する設備２０に対する操作内容を含む推奨情報を出力している。ただし、上述した構成例は一例であり、他の構成を採用することが可能である。
【００４９】
たとえば、図６のように、位置検出部１２および提示装置１６としてスマートフォンのような移動体端末４１を用い、通信部１１と処理部１３と記憶部１４と出力部１５とは、サーバ４２で実現してもよい。移動体端末４１とサーバ４２とはインターネットあるいは移動体電話網のような電気通信回線４０を通して通信する。すなわち、サーバ４２が、移動体端末４１から位置情報を受け取り、この位置情報に対応した場所の空気質を取得することにより、推奨情報を生成し、移動体端末４１に推奨情報を送信するという構成であってもよい。移動体端末４１は、サーバ４２から推奨情報を受け取ると表示器１６１に表示する。また、指示部１７が必要であれば、移動体端末４１において指示部１７を実現し、移動体端末４１から設備２０あるいはＨＥＭＳのコントローラに指示を与えればよい。
【００５０】
また、図７に示すように、サーバ４２に代えてＨＥＭＳのコントローラ４３により、通信部１１と処理部１３と記憶部１４と出力部１５とを実現してもよい。この構成では、指示部１７から設備２０の制御内容に関する指示をコントローラ４３に与えることにより、コントローラ４３を介して設備２０を制御することが望ましい。
【００５１】
本実施形態において説明した換気支援装置１０は、建物３０の屋外３２の空気質を区分した環境情報を求める処理部１３と、建物３０の屋内３１の空気質を管理するための推奨情報を環境情報に応じて出力する出力部１５とを備える。
【００５２】
この構成によれば、屋外３２の空気質に応じて空気質を管理するための推奨情報を提供することが可能である。そのため、屋外３２の空気質が低下しているときに屋内３１に屋外３２の空気を取り入れる可能性を低減することができる。すなわち、空気質の低下した空気を屋内３１のユーザが吸引する可能性を低減できる。また、屋外３２の空気質が低下すれば屋内３１に屋外３２の空気を取り入れず、屋外３２の空気質が清浄であれば換気を行うことが可能であるから、屋内３１の空気質を比較的良好な状態に維持することができる。そのため、屋内３１に空気清浄機を設けている場合に、空気清浄機が取り入れる空気の空気質を比較的清浄な状態に維持することが可能であり、結果的に、空気清浄機のフィルタ交換などのメンテナンスの頻度を低減させることが可能になる。
【００５３】
また、換気支援装置１０は、現在位置における屋外の空気質に関する情報を通信により取得する通信部１１を備えることが望ましい。この場合、処理部１３は、屋外３２の空気質に関する情報に基づいて環境情報を求め、出力部１５は、推奨情報を提示装置１６に出力することが望ましい。
【００５４】
この構成では、通信部１１を通して屋外３２の空気質に関する情報を取得するから、屋外３２の空気質に関する情報は換気支援装置１０とは別装置で計測され、換気支援装置１０の構成が簡単になる。
【００５５】
さらに、換気支援装置１０は、現在位置の位置情報を求める位置検出部１２を備えることが望ましい。この換気支援装置１０において、通信部１１は、位置情報を用いて屋外３２の空気質に関する情報を取得することが望ましい。
【００５６】
この構成によれば、換気支援装置１０の現在位置を求めることによって、インターネットあるいは移動体電話網のような電気通信回線４０を通して、位置検出部１２が求めた現在位置における屋外３２の空気質に関する情報を取得することが可能になる。つまり、多数の観測点で観測された空気質に関する情報を公開しているウェブサイトにアクセスすることにより、空気質に関する情報を簡単に取得することができる。そのため、空気質を計測するセンサを設ける必要がなく、換気支援装置１０を実現するためのコストの低減につながる。
【００５７】
提示装置１６は表示器１６１を備えることが望ましい。処理部１３は、環境情報に応じて、建物３０の屋内３１の空気質を変化させる設備２０に関して推奨される操作を表す推奨情報を生成するように構成される。また、出力部１５は、推奨情報を表示器１６１の画面に表示するように構成される。設備２０は、機械換気用の換気装置２１と自然換気用の通気装置２２との少なくとも一方を含む。
【００５８】
この構成によれば、表示器１６１に表示される推奨情報が、設備２０に関して推奨される操作を表すから、ユーザが推奨情報を見て、設備２０を操作すれば、屋内３１の空気質を比較的清浄な状態に維持することができる。また、ユーザが設備２０を操作するから、設備２０は遠隔操作の機能が不要であって、ユーザが用いている既存の設備２０を変更することなく利用することができる。
【００５９】
換気支援装置１０において、処理部１３は、空気質が所定の判定基準を満たした時点で、設備２０に関する推奨情報を生成し、出力部１５は、処理部１３が生成した推奨情報を表示器１６１の画面に表示することが望ましい。
【００６０】
この構成によれば、屋外３２の空気質が判定基準を満たすと、推奨情報を表示器１６１の画面に表示する。そのため、屋外３２の空気質が低下して換気が不都合になれば、換気を停止するように推奨情報を表示し、屋外３２の空気質が向上して換気が行えるようになれば、換気を行うように推奨情報を表示することが可能になる。
【００６１】
あるいはまた、換気支援装置１０において、処理部１３は、時間経過に伴う空気質の変化傾向に基づいて空気質が判定基準を満たすか否かを予測してもよい。この場合、出力部１５は、空気質が判定基準を満たすと処理部１３が予測した場合に、空気質が判定基準を満たす前に、表示器１６１の画面に推奨情報を表示することが望ましい。
【００６２】
この構成によれば、空気質が判定基準を満たすことが予測されるときに、空気質が判定基準を満たす前に推奨情報を表示する。そのため、とくに、屋外３２の空気質が低下して換気が不都合になることが予測される場合には、ユーザは、換気が不都合になる前に換気を停止するように設備２０を操作することが可能になる。すなわち、空気質の低下時に、設備２０を遅滞なく操作することが可能になる。
【００６３】
換気支援装置１０は、設備２０に対して動作に関する指示を与える指示部１７を備えていてもよい。提示装置１６は、表示器１６１の画面に重ねられたタッチパネル１６２を備えることが望ましい。処理部１３は、出力部１５が表示器１６１の画面に推奨情報を表示する期間に、タッチパネル１６２において操作入力を受け付けると、操作入力に応じて、指示部１７を通して設備２０に指示を与える。
【００６４】
この構成によれば、換気支援装置１０を設備２０に対するリモコン装置（コマンダ）のように利用して、設備２０の遠隔操作を行うことが可能になる。
【００６５】
換気支援装置１０が設備２０に対して動作を指示する指示部１７を備えている場合に、処理部１３は、空気質が所定の判定基準を満たした時点で、設備２０に関する推奨情報を生成し、推奨情報の内容に従って設備２０に指示部１７を通して指示を与えてもよい。
【００６６】
この構成によれば、屋外３２の空気質に応じて設備２０を自動的に制御することが可能になる。
【００６７】
なお、上述した実施形態は本発明の一例である。このため、本発明は、上述の実施形態に限定されることはなく、この実施形態以外であっても、本発明に係る技術的思想を逸脱しない範囲であれば、設計等に応じて種々の変更が可能であることはもちろんのことである。
【符号の説明】
【００６８】
１０  換気支援装置
１１  通信部
１２  位置検出部
１３  処理部
１５  出力部
１６  提示装置
１７  指示部
２０  設備
２１  換気装置
２２  通気装置
３０  建物
３１  屋内
３２  屋外
１０１  筐体
１６１  表示器
１６２  タッチパネル
【図１】
2016070600.tif 000004
【図２】
2016070600.tif 000005
【図３】
2016070600.tif 000006
【図４】
2016070600.tif 000007
【図５】
2016070600.tif 000008
【図６】
2016070600.tif 000009
【図７】
2016070600.tif 000010